(57)【要約】      （修正有）【解決手段】浴槽本体の天板１７に開口１５を設けるとともに、この天板に、前記開口の一端縁から出入してこの開口を開閉するための摺動カバー体２０を進退可能に設け、かつ、この摺動カバー体の先端に、車椅子に座った入浴者の首部が収納出来る程度の切り欠き部３１を形成したシャワー入浴装置において、前記摺動カバー体の表面にスライド量表示部３２，３３を設けた。【効果】スライド量表示部の位置によって摺動カバー体が開口方向にどの程度進出しているのか客観的且つ容易に判断することができる。入浴者を浴槽内に収容する際に、その首が切り欠きにあたらないようにどの程度まで車椅子を進入させればよいのか、介護者が容易に判断でき、ひいては、肢体不自由者等の入浴に手間がかからず、介護者の作業が大幅に減少するものである。【選択図】図２
0003118115.tif 000002
【実用新案登録請求の範囲】
【請求項１】
浴槽本体の天板に開口を設けるとともに、この天板に、前記開口の一端縁から出入してこの開口を開閉するための摺動カバー体を進退可能に設け、かつ、この摺動カバー体の先端に、車椅子に座った入浴者の首部が収納出来る程度の切り欠き部を形成したシャワー入浴装置において、前記摺動カバー体の表面にスライド量表示部を設けたことを特徴とするシャワー入浴装置用摺動カバー体。
【請求項２】
請求項１のシャワー入浴装置用摺動カバー体において、前記スライド量表示部として、前記摺動カバー体をどこまで引き出せばよいのかを表示するための引出しリブと前記摺動カバー体をどこまで押し込んで収納すればよいのかを表示するための収納リブとを設けたことを特徴するシャワー入浴装置用摺動カバー体。
【請求項３】
請求項１のシャワー入浴装置用摺動カバー体において、スライド量表示部を、前記摺動カバー体の出入する前記開口の一端縁と略平行な線状に設置したことを特徴するシャワー入浴装置用摺動カバー体。
【請求項４】
請求項２のシャワー入浴装置用摺動カバー体において、スライド量表示部を、前記摺動カバー体と一体成形したことを特徴するシャワー入浴装置用摺動カバー体。
【請求項５】
請求項３のシャワー入浴装置用摺動カバー体において、スライド量表示部を凸条に成形したことを特徴するシャワー入浴装置用摺動カバー体。
【考案の詳細な説明】
【技術分野】
【０００１】
この考案は摺動カバー体に関し、シャワー入浴装置に設置され、肢体不自由者等がシャワー入浴をする際に使用されるものである。
【背景技術】
【０００２】
この摺動カバー体が設置されているシャワー入浴装置は、主として、内壁面に多数のシャワーノズルを配設したドーム状の浴槽本体とこの浴槽本体の前面に設けた開閉ドア等によって構成され、入浴者の首を出した状態で車椅子ごと収容してシャワー入浴させるものである。そして、入浴者を収容した際に、この摺動カバー体によってその首回りを覆うものである。
【０００３】
従来におけるこの種の摺動カバー体は、浴槽本体の天板に開口を設けるとともに、この天板に、前記開口の一端縁から出入してこの開口を開閉するための摺動カバー体を進退可能に設け、かつ、この摺動カバー体の先端に切り欠き部を設けていた。
【０００４】
そして、入浴者が浴槽本体に進入した後、前記摺動カバー体を、その切り欠部が入浴者の首部を囲むように引き出すことによって入浴者の首部の周囲における前記開口部を塞ぎ、シャワー熱によって温められたドーム内の温熱が逃げるのを防止するとともにシャワーの水滴が使用者の顔面に飛散するのを防止していた。
【０００５】
【特許文献１】特開２００１−６１９３１号公報
【考案の開示】
【考案が解決しようとする課題】
【０００６】
しかしながら、かかる従来のシャワー入浴装置摺動カバー体にあっては、単に前記開口の一端縁から出入可能に設置されていたにすぎないため、摺動カバー体が開口方向に出ているときどの程度進出しているのか判断しにくく、この結果、入浴者を収容する際に、その首が切り欠きにあたらないようにどの程度まで車椅子を進入させればよいのか判断するのに手間がかかり、ひいては、肢体不自由者等のシャワー入浴に手間がかからざるを得ないという不都合を有した。
【０００７】
この考案の課題はこれらの不都合を解消することである。
【課題を解決するための手段】
【０００８】
前記課題を達成するために、この考案に係るシャワー入浴装置用摺動カバー体においては、浴槽本体の天板に開口を設けるとともに、この天板に、前記開口の一端縁から出入してこの開口を開閉するための摺動カバー体を進退可能に設け、かつ、この摺動カバー体の先端に、車椅子に座った入浴者の首部が収納出来る程度の切り欠き部を形成したシャワー入浴装置において、前記摺動カバー体の表面にスライド量表示部を設けたものである。
【０００９】
なお、前記スライド量表示部として、前記摺動カバー体をどこまで引き出せばよいのかを表示するための引出しリブと前記摺動カバー体をどこまで押し込んで収納すればよいのかを表示するための収納リブとを設けることもできる。
【００１０】
また、前記スライド量表示部を、前記摺動カバー体の出入する前記開口の一端縁と略平行な線状に設置することもできる。
【００１１】
また、この場合、前記スライド量表示部を、前記摺動カバー体と一体成形することもできる。
【００１２】
また、このスライド量表示部を凸条に成形することもできる。
【考案の効果】
【００１３】
この考案に係るシャワー入浴装置用摺動カバー体は上記のように構成されているため、スライド量表示部の位置によって摺動カバー体が開口方向にどの程度進出しているのか客観的且つ容易に判断することができる。
【００１４】
よって、このシャワー入浴装置摺動カバー体を使用すれば、入浴者を浴槽内に収容する際に、その首が切り欠きにあたらないようにどの程度まで車椅子を進入させればよいのか、介護者が容易に判断でき、ひいては、肢体不自由者等の入浴に手間がかからず、介護者の作業が大幅に減少するものである。
【００１５】
なお、前記スライド量表示部として、前記摺動カバー体をどこまで引き出せばよいのかを表示するための引出しリブと前記摺動カバー体をどこまで押し込んで収納すればよいのかを表示するための収納リブとを設ければ、摺動カバー体の引出し及び収納の位置が客観的且つ容易に判断することができる。
【００１６】
なお、前記スライド量表示部を、前記摺動カバー体の出入する前記開口の一端縁と略平行な線状に設置すれば、前記開口の一端縁との距離を判断しやすいため、摺動カバー体の進出程度が更に判断しやすいものである。
【００１７】
また、この場合、前記スライド量表示部を、前記摺動カバー体と一体成形すれば、前記スライド量表示部の設置が簡単にできる。
【００１８】
また、このスライド量表示部を凸条に成形すれば、スライド量表示部が突出しているため目につきやすく、また、汚れが付着しにくいものである。
【考案を実施するための最良の形態】
【００１９】
本考案は、前記摺動カバー体の表面にスライド量表示部、即ち、前記摺動カバー体をどこまで引き出せばよいのかを表示するための引出しリブと前記摺動カバー体をどこまで押し込んで収納すればよいのかを表示するための収納リブとを設けたところに最も主要な特徴を有する。
【実施例１】
【００２０】
以下、この考案の実施例を説明する。
図１はこの考案に係るシャワー入浴装置用摺動カバー体の横断面図、図２は同平面図、図３は図１における III部拡大断面図、図４は図２におけるIV−IV線拡大断面図である。
【００２１】
図１及び図２において、10は浴槽、11はその浴槽本体である。この浴槽本体11は、背壁部12の両側に側壁部13,14 が断面コ字状に連設されている。15は前部開口であり、前記浴槽本体11の前側（図２において右側）に形成されている。この前部開口15は入浴者Ｍが車椅子Ｃに載って浴槽本体11内に進入する部分である。16は前面ドアであり、前記浴槽本体11における前部開口15に開閉可能に設置されている。なお、前記浴槽本体11の内壁面およびこの前面ドア16の内壁面と天板（浴槽本体11の）17の内壁面には、通常の構成で、内方に向かって所要数のシャワーノズル（図示せず）が設置されている。
【００２２】
17は浴槽本体11の天板、18はこの天板17の前方に形成された上部開口（この考案の「開口」に相当する）である。この上部開口18は前記前部開口15に繋がっており、車椅子Ｃに載った入浴者Ｍがシャワー入浴中首部を浴槽10の外に出す部分である。
【００２３】
前記浴槽本体11および前記前面ドア16はいずれもＦＲＰを主材として樹脂成形されている。
【００２４】
なお、前記浴槽本体11の底面は開口しているため、シャワーの水はそのまま流れ去る。  
【００２５】
次に、20は摺動カバー体であり、前記天板17の裏面に沿って摺動可能に設置されている。この摺動カバー体20は発泡ポリエチレン等の柔軟な合成樹脂によって一体形成され、前記上部開口18を開閉する方向に摺動する。なお、この樹脂成形は独立発泡成形であるがその表面は平面状に成形されている。
【００２６】
21は支持板部であり、前記摺動カバー体20の根幹部を形成している。この支持板部21を介して前記摺動カバー体20は前記天板17に支持される。また、22は前記摺動カバー体20の載置板部であり、前記支持板部21の先端縁に折り曲げ可能に一体形成されている。この載置板部22は前記摺動カバー体20を前記天板17から引出したときに、前記前面ドア16の付近にまで到達し、前記上部開口18を塞いだ状態で、重力によってその先端部が後記車椅子Ｃの摺動カバー受け部57（入浴者Ｍの座している）に載置される。
【００２７】
221,221 は側板部であり、前記載置板部22の両側縁に一体形成されている。この側板部221,221 は、図１又は図３に示すように、略垂直状に下向きに延びており、前記載置板部22の側縁と前記上部開口18との隙間を封鎖している。なお、この側板部221,221 と前記載置板部22との連設部はこれらが一体形成される際にヒンジ部として薄肉状に形成され、折り曲げ容易になっている。
【００２８】
23,23 はスライド長孔であり（図３を参照のこと）、前記支持板部（摺動カバー体20の）21に形成されている。このスライド長孔23はスライド方向に長径を有している。24,24 （図３を参照のこと）は押さえ板であり、前記摺動カバー体20における前記スライド長孔23の外面（天板17の反対側の面）を覆うように重ねられている。この押さえ板24は前記摺動カバー体20の折れ曲がりを防止するとともにその摺動を滑らかにしている。
【００２９】
25はボルトであり、前記押さえ板24を貫通し、前記スライド長孔（摺動カバー体20の）23を遊嵌した後、前記天板17に埋めこまれた埋め込みナット26に締めつけ固定されている。なお、前記摺動カバー体20の摺動を可能にするため、この締め付けには僅かな余裕が存在する。
【００３０】
次に、30は薄肉部であり、前記摺動カバー体20における支持板部21と前記載置板部22との境界部に形成されている。この薄肉部30は、前記摺動カバー体20の上面を湾曲状の溝に形成したものであり、幅方向に延びてヒンジとしての機能を奏している。このため、前記載置板部22はこの薄肉部30を介して折り曲げ可能となる。
【００３１】
また、この薄肉部30は、前記摺動カバー体20を引き出したときには、前記押さえ板24から開放され、押し込んだときには、前記押さえ板24とによって挟まれる位置に形成されている。このため、前記摺動カバー体20を引き出したときには、前記薄肉部30を介して前記載置板部22が重力によって下方に折れ下がり（図１及び図３の実線の図を参照のこと）、天板17方向に押し込んだ際には、水平状態を維持して前記天板17に重なった状態で収容される。このように、摺動カバー体20が押し込まれると、次の引出し作業がしやすいものである（図１及び図３の一点鎖線の図を参照のこと）。
【００３２】
なお、前記薄肉部30を形成する代わりに、別体のヒンジシートに張り付けることにより前記支持板部21と前記載置板部22とを折り曲げ可能に連設することもできる。
【００３３】
31は切り欠き部であり、前記載置板部（摺動カバー体20）22の先端縁に形成されている。この切り欠き部31は湾曲状をしており、前記車椅子Ｃに座った入浴者Ｍがシャワー入浴する際に首部を収容できる程度の広さを有している。
【００３４】
次に、32は収納リブであり、（この考案の「スライド量表示部」に相当する）であり、前記載置板部（摺動カバー体20）22の表面に適宜間隔を介して一体形成されている。この収納リブ32は、前記切り欠き部31の近傍に位置しており、前記摺動カバー体22の出入する前記上部開口18の一端縁（天板17の）と略平行に延びている。そして、前記摺動カバー体22をスライドさせ、この収納リブ32を前記天板17の端縁に一致させることによって前記摺動カバー体20の押し込み量を知ることができる。即ち、前記摺動カバー体20をどこまで押し込んで収納すればよいのかを客観的に表示することができる。
【００３５】
また、33は引出しリブであり、（この考案の「スライド量表示部」に相当する）であり、前記収納リブ32と略平行に、前記載置板部（摺動カバー体20）22の表面に適宜間隔を介して一体形成されている。この引出しリブ32は、前記天板17の近傍に側に位置し、この天板17の裏側との間を移動する。そして、前記摺動カバー体22をスライドさせ、この収納リブ32を前記天板17の端縁に一致させることによって前記摺動カバー体20の引出し量を知ることができる。即ち、前記摺動カバー体20をどこまで引き出せばよいのかを客観的に表示することができる。
【００３６】
前記収納リブ32又は前記引出しリブ33におけるリブの代わりに、前記載置板部（摺動カバー体20）22の表面に凹溝で形成することもできるし、単に、平面状に表示することもできる。
【００３７】
次に、図２及び図４に示すように、34,34 は把手溝であり、前記載置板部（摺動カバー体20）22の裏面に一体形成されている。介護者は、この把手溝34,34 に手を掛け前記載置板部（摺動カバー体20）22を簡易に進退させることができる。
【００３８】
次に、図１に戻って、Ｃは車椅子であり、台車部51とシート部52とから構成されている。このシート部52は、前記台車部51に対して、連結部53を支点として、チルト可能である。チルト機構はロック付きの空気ばね54によって制御されている。操作する場合には、シリンダロックレバー59を握ることによって、ロックを解除し、座位からチルト又はチルトから座位へ姿勢変換をし、チルトさせたり起こしたりする。
【００３９】
また、55は昇降棒であり、シート部52の背面に上下方向に移動可能に設置されている。また、56は枕であり、前記昇降棒55の上端に設置されている。この昇降棒55は摘み551 によって固定されているが，この摘み551 を緩めて上下動させることにより、前記枕56の高さを入浴者にあわせて高さの調節をすることができる。
【００４０】
57は摺動カバー受け部であり、前記昇降棒55における前記枕56の下方に固定されている。このため、前記昇降棒55を上下動させた場合に前記枕56とともに上下動する。換言すれば、この摺動カバー受け部57は前記車椅子Ｃの枕56の上下調節量に連動して移動する。この摺動カバー受け部57には前記摺動カバー体20を前記天板17から引出したときにその先端部が重力によって載置される（図１を参照のこと）。
【００４１】
なお、この摺動カバー受け部57は入浴者Ｍが前記切り欠き部31に首部を収容したさいにその後ろ側に生ずる切り欠き部31の残り空間を塞ぐ機能も有している。
【００４２】
このため、入浴者Ｍは通常の状態（シート部52が略水平の状態）でシート部52に座したまま、介助者（図示せず）によって予洗された後、前記チルト手段によって前記車椅子Ｃをチルトさせ、入浴者Ｍを上向けの状態（図１の状態を参照のこと）にして前記浴槽10内に収容する。このように、入浴者Ｍを上向けの状態にすることによって、入浴者Ｍがゆったりした状態でシャワーを浴びることができるとともに、浴槽10のスペースを狭くしてコンパクト化することができる。
【００４３】
このように構成されるシャワー入浴装置を使用する場合には、前記浴槽10の前記前面ドア16を開け、前記前部開口15から、入浴者Ｍを車椅子Ｃに載せて進入させる。このとき、介護者は、前記スライド量表示部32の位置によって前記載置板部（摺動カバー体20）22が、どの程度進出しているか（上部開口方向へ）判断する。前記載置板部22で、前記上部開口18を覆った際に、入浴者Ｍの首部が前記載置板部22の切り欠き31内にうまく収まるように、奥まで行き過ぎないようにするためである。
【００４４】
入浴者Ｍが進入した後、前記摺動カバー体20を引出し（このとき、入浴者Ｍの首部が前記載置板部22の切り欠き部31内にうまく収まるようになっている）、その載置板部22を重力によって折り下げ、その先端部を車椅子Ｃの摺動カバー受け部57（入浴者Ｍの座している）に載せる。その後、通常のシャワー作業がされる。
【産業上の利用可能性】
【００４５】
肢体不自由者等が専用のシャワー用車椅子に腰掛けた状態でシャワー入浴を行う場合に利用することができる。
【図面の簡単な説明】
【００４６】
【図１】この考案に係るシャワー入浴装置用摺動カバー体の横断面図である。
【図２】同平面図である。
【図３】図１における III部拡大断面図である。
【図４】図３におけるIV−IV拡大断面図である。
【符号の説明】
【００４７】
Ｃ  …  車椅子
Ｍ  …  入浴者
10  …  浴槽
11  …  浴槽本体
12  …  背壁部
13  …  側壁部
14  …  側壁部
15  …  前部開口
16  …  前面ドア
17  …  天板（浴槽本体の）
18  …  上部開口（開口）
20  …  摺動カバー体
21  …  支持板部
22  …  載置板部
221 …  側板部
23  …  スライド長孔
24  …  押さえ板    
25  …  ボルト
26  …  埋め込みナット
30  …  薄肉部
31  …  切り欠き部
32  …  収納リブ（スライド量表示部) 
33  …  引出しリブ（スライド量表示部) 
34  …  把手溝  
51  …  台車部
52  …  シート部
53  …  連結部
54  …  ロック付きの空気ばね（チルト機構）
55  …  昇降棒
551 …  摘み
56  …  枕
57  …  摺動カバー受け部
59  …  シリンダロックレバー
【図１】
0003118115.tif 000003
【図２】
0003118115.tif 000004
【図３】
0003118115.tif 000005
【図４】
0003118115.tif 000006